(57)【特許請求の範囲】
【請求項１】
ユーザ機器のアイドル後モビリティ手続きの期間中の新たなモビリティマネジメントエンティティ（ＭＭＥ）又は新たなサービング汎用パケット無線サービスサポートノード（ＳＧＳＮ）における方法であって、当該方法は、
通信ネットワークにおいて前記アイドル後モビリティ手続きに関連するメッセージを過去のＭＭＥ又は過去のＳＧＳＮから受信することと、
前記アイドル後モビリティ手続きは、ルーティングエリア更新（ＲＡＵ）又はトラッキングエリア更新（ＴＡＵ）であることと、
前記アイドル後モビリティ手続きについての要求において提供される情報エレメントを介して、ユーザ機器がアイドルモードシグナリング低減（ＩＳＲ）を経たかを判定することと、
前記ユーザ機器がＩＳＲを経たと判定された場合には、現在用いられている無線アクセス技術（ＲＡＴ）タイプをサービングゲートウェイ（ＳＧＷ）に提供し、前記ユーザ機器がＩＳＲを経なかったと判定された場合には、前記ＲＡＴタイプを前記ＳＧＷに提供しないことと、
を含む、方法。
【請求項２】
前記情報エレメントは、前記アイドル後モビリティ手続きについての前記要求に含まれる信号又はフラグ設定の形式である、請求項１に記載の方法。
【請求項３】
アイドル後モビリティ手続きのための標識ユニットであって、当該標識ユニットは、
通信ネットワークにおいて前記アイドル後モビリティ手続きに関連するメッセージを過去のＭＭＥ又は過去のＳＧＳＮから受信するように構成される通信ポートと、
前記アイドル後モビリティ手続きについての要求において提供される情報エレメントを介して、ユーザ機器がアイドルモードシグナリング低減（ＩＳＲ）を経たかを判定するように構成されるプロセッサと、
を備え、
前記アイドル後モビリティ手続きは、ルーティングエリア更新（ＲＡＵ）又はトラッキングエリア更新（ＴＡＵ）であり、
前記プロセッサは、前記ユーザ機器がＩＳＲを経たと判定された場合には、現在用いられている無線アクセス技術（ＲＡＴ）タイプをサービングゲートウェイ（ＳＧＷ）に提供し、前記ユーザ機器がＩＳＲを経なかったと判定された場合には、前記ＲＡＴタイプを前記ＳＧＷに提供しないようにさらに構成される、
標識ユニット。
【請求項４】
請求項１又は請求項２に記載のステップを実行するようにさらに構成される、請求項３に記載の標識ユニット。
【請求項５】
前記標識ユニットは、モビリティマネジメントエンティティ（ＭＭＥ）ノード、サービング汎用パケット無線サービスサポートノード（ＳＧＳＮ）ノード、又はスタンドアロンのノードに設けられる、請求項３又は４に記載の標識ユニット。
【請求項６】
コンピュータ実行可能な命令によりエンコードされるコンピュータ読取可能な記憶媒体であって、当該命令は、標識ユニットによって実行される場合に、請求項１又は請求項２に記載の方法を実行する、コンピュータ読取可能な記憶媒体。
【発明の詳細な説明】
【技術分野】
【０００１】
本明細書において提示される例示的な実施形態は、アイドル手続き後の無線アクセス技術（ＲＡＴ：Radio  Access  Technology）タイプの使用の標識を提供することに関する。
【背景技術】
【０００２】
無線通信ネットワークともよばれる典型的なセルラシステムにおいて、移動局及び／又はユーザ機器ユニット（ＵＥ：User  Equipment）としても知られる無線端末は、無線アクセスネットワーク（ＲＡＮ：Radio  Access  Network）を介して１つ以上のコアネットワークと通信する。無線端末は、「セルラ（cellular）」電話としても知られる携帯電話などの移動局又はユーザ機器ユニット、及び無線ケイパビリティを有するラップトップ、例えばモバイル端末とすることができ、従って、例えば、無線アクセスネットワークと音声及び／又はデータを通信するポータブルモバイルデバイス、ポケットモバイルデバイス、ハンドヘルドモバイルデバイス、コンピュータ内蔵モバイルデバイス、又は車載型モバイルデバイスとすることができる。
【０００３】
無線アクセスネットワークは、複数のセルエリアに分割される地理的なエリアをカバーし、各セルエリアは、基地局、例えば無線基地局（ＲＢＳ：Radio  Base  Station）によってサービスされる。無線基地局は、幾つかのネットワークにおいて、「ノードＢ」又は「Ｂノード」とも呼ばれ、本明細書においては基地局とも呼ばれる。セルは、基地局サイトにおける無線基地局機器によって無線カバレッジが提供される地理的なエリアである。各セルは、ローカル無線エリア内のＩＤによって識別され、当該ＩＤは、当該セルにおいてブロードキャストされる。基地局は、当該基地局のレンジ内にあるユーザ機器ユニットと、無線周波数上で動作するエアインタフェース上で通信する。
【０００４】
無線アクセスネットワークの幾つかのバージョンにおいて、幾つかの基地局は、例えばランドライン又はマイクロ波によって、典型的には無線ネットワークコントローラ（ＲＮＣ：Radio  Network  Controller）に接続される。基地局コントローラ（ＢＳＣ：Base  Station  Controller）と呼ばれることもある無線ネットワークコントローラは、当該無線ネットワークコントローラに接続される複数の基地局の種々のアクティビティを、管理し及びコーディネートする。無線ネットワークコントローラは、典型的に、１つ以上のコアネットワークに接続される。
【０００５】
ＵＭＴＳ（Universal  Mobile  Telecommunications  System）は、ＧＳＭ（Global  System  for  Mobile  Communications）から進化した第３世代のモバイル通信システムであり、広帯域符号分割多元接続（ＷＣＤＭＡ：Wideband  Code  Division  Multiple  Access）技術に基づいて改善されたモバイル通信サービスを提供することが意図される。ＵＴＲＡＮ（UMTS  Terrestrial  Radio  Access  Network）は、実質的に、ユーザ機器ユニット（ＵＥ）について広帯域符号分割多元接続を用いる無線アクセスネットワークである。第３世代パートナーシッププロジェクト（３ＧＰＰ）は、ＵＴＲＡＮ及びＧＳＭベースの無線アクセスネットワーク技術をさらに進化させることに取り組んでいる。３ＧＰＰにおいては、３Ｇ  ＬＴＥ（Long  Term  Evolution）システムに関する作業が進行中である。
【０００６】
モビリティマネジメントは、セルラネットワークを維持する際に重要な機能である。モビリティマネジメントの目標は、任意の所与のネットワーク中に含まれる種々のＵＥに携帯電話サービスが提供されるように、セルラ電話又はユーザ機器（ＵＥ）がどこに位置するのかをトラッキングすることである。
【０００７】
セルラネットワークの各基地局は、セルと呼ばれ得る限定された地理的なエリアをカバーする。多くの基地局のカバレッジ又はセルのカバレッジを統合することは、はるかに広範なエリアの無線カバレッジをセルラネットワークに提供する。Ｅ−ＵＴＲＡＮにおいて、ｅＮｏｄｅＢ又はこれらの基地局のグループは、トラッキングエリア（ＴＡ）をカバーすると見なされ得る。ルーティングエリア（ＲＡ）も、これらのセルの１つ以上から形成され得る。
【０００８】
トラッキングエリア更新（ＴＡＵ：Tracking  Area  Update）手続き及び／又はルーティングエリア更新（ＲＡＵ：Routing  Area  Update）手続きは、いつＵＥが１つのＴＡ及び／又はＲＡから別のＴＡ及び／又はＲＡに移動するかを当該ＵＥがセルラネットワークに通知することを可能にする。ＵＥが異なるＴＡ及び／又はＲＡに移動したことを検出し、且つ当該ＵＥが当該ＴＡ及び／又はＲＡに登録されていない場合、ＵＥの現在のロケーションに関連付けられるＴＡ及び／又はＲＡのトラッキングエリアＩＤ（ＴＡＩ：Tracking  Area  Identity）リスト及び／又はルーティングエリアＩＤ（ＲＡＩ：Routing  Area  Identity）リストを取得するために、ＵＥはセルラネットワークにＴＡＵ要求及び／又はＲＡＵ要求を送るであろう。
【０００９】
典型的にモビリティマネジメントに関与するネットワークノードは、ＬＴＥシステムにおけるモビリティマネジメントエンティティ（ＭＭＥ：Mobility  Management  Entity）、及び２Ｇ／３Ｇシステムにおけるサービング汎用パケット無線サービスサポートノード（ＳＧＳＮ：Serving  General  Packet  Radio  Service  Support  Node）である。ＭＭＥ及びＳＧＳＮは、アイドルモードＵＥのトラッキング、ページング手続き、ベアラのアクティブ化／非アクティブ化処理に典型的に関与する重要な制御ノードであり、ＭＭＥ及びＳＧＳＮは、特定のＵＥについてサービングゲートウェイ（ＳＧＷ）を選択することについても関与する。
【発明の概要】
【発明が解決しようとする課題】
【００１０】
３ＧＰＰ  ＥＰＳにおいて、典型的に用いられるモビリティマネジメント関連機能は、アイドルモードシグナリング低減（ＩＳＲ：Idle  Mode  Signaling  Reduction）である。この機能の目的は、アイドルモードにあるＵＥからのシグナリングを低減することである。ＩＳＲによれば、ＵＥは、ＲＡ及びＴＡにおいて対応するＳＧＳＮ及びＭＭＥに同時に登録され、当該ＵＥが登録されたＲＡ及びＴＡ内に留まる限り、ＲＡＵ又はＴＡＵをネットワークに送ることなく、２Ｇ／３ＧシステムとＬＴＥシステムとの間を自由に移動し得る。
【００１１】
ＲＡＵ手続き又はＴＡＵ手続きの期間中、新たなＳＧＳＮ又はＭＭＥは、ＩＳＲをアクティブ化することを選択し、ＵＥについてのＳＧＷへの関連付け及び記録を保持するように過去のＳＧＳＮ／ＭＭＥに指示し得る。また、ＳＧＷは、過去のＳＧＳＮ／ＭＭＥへの関連付けを保持するように通知され得る。ダウンリンクデータの場合、ＳＧＷは、Ｓ４インタフェース上でＳＧＳＮ及びＳ１１インタフェース上でＭＭＥの双方に、ダウンリンクデータ通知を送り得る。
【００１２】
ＵＥが新たな無線アクセス技術（ＲＡＴ）タイプを通じてネットワークにアクセスするたびに、当該新たなＲＡＴは、ＳＧＷにレポートされ、ベアラ変更要求メッセージ（ＭＢＲ：Modify  Bearer  Request  message）においてＳ５／Ｓ８インタフェース上でＰＤＮ−ＧＷに転送されるべきである。ＲＡＴが変更された場合、ＳＧＷは、新たなＭＭＥ／ＳＧＳＮから新たなＲＡＴを取得する必要がある。
【００１３】
しかしながら、ＩＳＲがアクティブ化される場合、アイドルモードにあるＵＥからの低減されたシグナリングに起因して、新たなＭＭＥ／ＳＧＳＮは、ＲＡＴが変更されたか及びＲＡＴがＳＧＷへのＭＢＲに含まれるべきかを知得していない。今日、新たなＭＭＥ／ＳＧＳＮは、ＩＳＲがアクティブ化されたかすら知得していない。
【００１４】
新たなＲＡＴが利用されているか否かを示さないことから多くの問題が生じ得る。例えば、様々な課金レートが様々なＲＡＴタイプに適用され得る。それ故に、特定のＵＥがどのＲＡＴを利用しているのかという正確な知識無しに、事業者は正確な課金情報を提供することができないことがある。
【００１５】
本明細書に提示される例示的な実施形態のうちの少なくとも１つの例示的な目的は、アイドル後（post  idle）モビリティ手続き（例えば、ＴＡＵ手続き及び／又はＲＡＵ手続き）の期間中に正確なネットワーク情報を提供することである。それ故に、この解決策の技術的な効果は、シグナリングを最小限に抑えつつ、新たなＲＡＴが利用されたか否かに関する標識を提供することであり得る。
【課題を解決するための手段】
【００１６】
上述された目的は、アイドル後モビリティ手続きを提供する方法によって達成され得る。アイドル後モビリティ手続きは、アイドル手続き終了時のＵＥのモビリティに関連する如何なるモビリティ手続きであってもよい。例えば、当該手続きは、アイドル手続きの終了直後に発生しても、又はアイドル手続きの終了後に最初のモビリティ手続きが開始される際に発生してもよい。
【００１７】
アイドル後モビリティ手続きの例は、ＴＡＵ又はＲＡＵであり得る。アイドル手続きの例は、ＩＳＲであり得る。提示される例示的な実施形態は当技術分野において既知の任意のアイドル手続き又はアイドル後モビリティ手続きを対象とし得ることが認識されるべきである。アイドル後モビリティ手続きはアイドル手続きが終了したらいつ行われてもよいことがさらに認識されるべきである。
【００１８】
上記方法は、アイドル後モビリティ手続きについての要求を受信し又は送信することと、アイドル手続きのアイドルステータス又は標識を判定することと、アイドルステータス又は標識の関数であり得るアイドル後モビリティ手続きについての要求を開始するための命令を提供することと、を含み得る。
【００１９】
幾つかの例示的な実施形態において、アイドルステータス又は標識は、信号又はフラグ設定の形式であり得る情報エレメントによって提供され得る。例えば、アイドルステータス又は標識が肯定的である場合、アイドルモードシグナリング低減（ＩＳＲ）は開始された可能性がある。
【００２０】
幾つかの例示的な実施形態において、アイドル後モビリティ手続きについての要求を開始するための命令を提供することは、アイドルステータス又は標識が肯定的である場合に前回の無線アクセス技術（ＲＡＴ）タイプをネットワークノードに提供すること、をさらに含み得る。
【００２１】
幾つかの例示的な実施形態において、アイドルステータス又は標識は、ＩＳＲセットアップ手続きにおける前回のモビリティマネジメントノードのＩＤをさらに提供し得る。
【００２２】
幾つかの例示的な実施形態において、アイドル後モビリティ手続きについての要求を開始するための命令を提供することは、アイドルステータス又は標識が肯定的であり、且つ前回のモビリティマネジメントノードのＩＤが現在のモビリティマネジメントノードと異なるノードタイプのものである場合に前回の無線アクセス技術（ＲＡＴ）タイプをネットワークノードに提供すること、をさらに含み得る。
【００２３】
幾つかの例示的な実施形態において、モビリティマネジメントノードのタイプは、モビリティマネジメントエンティティ（ＭＭＥ）ノード、又はサービング汎用パケット無線サービスサポートノード（ＳＧＳＮ）ノードであり得る。
【００２４】
幾つかの例示的な実施形態において、アイドル後モビリティ手続きについての要求を送信することは、ユーザ機器（ＵＥ）ノードによって提供され得る。
【００２５】
幾つかの例示的な実施形態において、アイドル後モビリティ手続きについての要求を受信することは、現在のＭＭＥ又はＳＧＳＮノードによって提供され得る。
【００２６】
幾つかの例示的な実施形態は、アイドル後モビリティ手続きを提供する方法であって、通信ネットワークにおいてアイドル後モビリティ手続きについての要求を受信し又は送信することと、当該アイドル後モビリティ手続きについての当該要求を開始するための命令を提供することと、を含み、当該命令は、現在のＲＡＴタイプを含む、方法を対象とし得る。
【００２７】
幾つかの例示的な実施形態は、アイドル後モビリティ手続きを提供するための標識ユニットを対象とし得る。当該ユニットは、アイドル後モビリティ手続きについての要求を受信し又は送信するように構成され得る通信ポートを備える。当該ユニットは、アイドルステータス又は標識を判定するように構成され得るプロセッサも備える。上記プロセッサは、アイドルステータス又は標識に応じてアイドル後モビリティ手続きについての要求を開始するための命令を提供するようにさらに構成され得る。
【００２８】
幾つかの例示的な実施形態において、上記ユニットは、上述された方法ステップのうちの少なくとも１つを実行するようにさらに構成され得る。
【００２９】
幾つかの例示的な実施形態において、上記ユニットは、ユーザ機器、モビリティマネジメントエンティティ（ＭＭＥ）ノード、サービング汎用パケット無線サービスサポートノード（ＳＧＳＮ）ノード、又はスタンドアロンのノードに設けられ得る。
【００３０】
幾つかの例示的な実施形態は、アイドル後モビリティ手続きを提供するための標識ユニットを対象とし得る。当該ユニットは、アイドル後モビリティ手続きについての要求を受信し又は送信するように構成され得る通信ポートと、当該アイドル後モビリティ手続きについての当該要求を開始するように構成され得るプロセッサと、を備え、上記命令は、現在の無線アクセス技術（ＲＡＴ）タイプを含む。
【００３１】
幾つかの例示的な実施形態は、コンピュータ実行可能な命令によりエンコードされるコンピュータ読取可能な記憶媒体であって、当該命令は、標識ユニットによって実行される場合、上述された方法ステップのうちのいずれか１つを実行し得る、コンピュータ読取可能な記憶媒体を対象とし得る。
【００３２】
定義
ＡＳＩＣ−Application  Specific  Integrated  Circuit
ＢＳＣ−Base  Station  Controller
ＢＴＳ−Base  Transceiver  Station
ＤＳＰ−Digital  Signal  Processor
Ｅ−ＵＴＲＡＮ−Evolved  Universal  Mobile  Telecommunications  System  Terrestrial  Radio  Access  Network
ＦＰＧＡ−Field  Programmable  Gate  Array
ＧＥＲＡＮ−GSM  EDGE  Radio  Access  Network
ＧＳＭ−Global  System  for  Mobile  Communications
ＨＳＳ−High  Speed  Serial
ＩＰ−ＣＡＮ−Internet  Protocol  Connectivity  Access  Network
ＩＳＲ−Idle  Mode  Signaling  Reduction
ＬＴＥ−Long  Term  Evolution
ＭＢＲ−Modify  Bearer  Request
ＭＭＥ−Mobility  Management  Entity
ＰＣＥＦ−Policy  and  Charging  Enforcement  Function
ＰＧＷ−Public  data  network  Gateway
ＲＡ−Routing  Area
ＲＡＮ−Radio  Access  Network
ＲＡＴ−Radio  Access  Technology
ＲＡＵ−Routing  Area  Update
ＲＢＳ−Radio  Base  Station
ＲＮＣ−Radio  Network  Controller
ＳＧＷ−Serving  Gateway
ＳＳＧＮ−Serving  General  Packet  Radio  Service  Support  Node
３ＧＰＰ−Third  Generation  Partnership  Project
ＴＡ−Tracking  Area
ＴＡＵ−Tracking  Area  Update
ＵＥ−User  Equipment
ＵＭＴＳ−Universal  Mobile  Telecommunications  System
ＵＴＲＡＮ−UMTS  Terrestrial  Radio  Access  Network
ＷＡＮ−Wide  Area  Network
ＷＣＤＭＡ−Wideband  Code  Division  Multiple  Access
【図面の簡単な説明】
【００３３】
【発明を実施するための形態】
【００３４】
以下の説明において、例示的な実施形態の完全な理解を提供するために、限定ではなく説明の目的で、特定のコンポーネント、要素、技法等といった具体的な詳細が述べられる。しかしながら、例示的な実施形態は、これらの具体的な詳細から逸脱する他の手法においても実施をされ得ることが当業者には明らかであろう。他の場合において、周知の方法及び要素の詳細な説明は、例示的な実施形態の説明を曖昧にしないように省略される。
【００３５】
図１は、モバイルネットワーク１００の概略ブロック図を例示し、図２は、アイドル後モビリティ動作、特にＴＡＵ手続きの期間中に採用され得る図１のノード間のメッセージを示すメッセージシーケンス図２００を例示する。同様のメッセージはＲＡＵ手続き又は他のアイドル後モビリティ手続きにおいて採用されてもよいことが認識されるべきである。
【００３６】
ＵＥ１０１が当該ＵＥ１０１の現行のＴＡＩリストに含まれていないＴＡに入ると、ＵＥは、ＴＡＵ手続きを開始し得る（メッセージ１）。ＵＥ１０１がＥ−ＵＴＲＡＮ１０３内のｅＮｏｄｅＢ１０２に要求を送信する際、ＴＡＵは開始され得る（メッセージ２）。ｅＮｏｄｅＢ１０２は、ＵＥと直接通信するように構成されるＢＴＳであってもよい。ｅＮｏｄｅＢ１０２は、ＵＥ１０１が入った新たなＴＡ内のＭＭＥ１０４にＴＡＵ要求を転送し得る（メッセージ３）。ＴＡＵ要求は、ＵＥ１０１に関連する情報を含み得る。
【００３７】
ＴＡＵ要求に含まれる情報に依存して、新たなＴＡに関連付けられるＭＭＥ１０４は、新たな現行のＴＡに入る前にＵＥ１０１が利用したＴＡに関連付けられるＭＭＥに、ＵＥの信頼性（authenticity）に関して問い合わせるために用いられ得るコンテキスト要求を送り得る（メッセージ４）。過去のＭＭＥ又はコアノード１０５は、信頼性を検証するために用いられ得るコンテキスト応答を供給し得る（メッセージ５）。
【００３８】
コンテキスト応答を受信すると、ＵＥ１０１と新たなＭＭＥ１０４との間に認証又はセキュリティ接続が確立され得る。同様に、新たなＭＭＥ１０４と高速シリアル（ＨＳＳ）インタフェース１０９との間にも認証又はセキュリティ接続が確立され得る（メッセージ６）。ＨＳＳ１０９は、広域ネットワーク（ＷＡＮ）リンク上に通信リンクを生成するために採用され得る。その後、新たなＭＭＥ１０４は、コンテキスト応答が受信されたことについて確認応答を行うコンテキスト確認応答メッセージを、過去のコアノード１０５に送り得る（メッセージ７）。
【００３９】
新たなＭＭＥ１０４は、その後、新たなＭＭＥ１０４及びＵＥ１０１が現在存在するＴＡに関連付らえる新たなサービングゲートウェイ（ＳＧＷ）１０６に、ベアラ要求を送り得る（メッセージ８）。ＳＧＷは、関連付けられる地理的なサービスエリア内の携帯電話から／へのデータパケットの配信に関与し得る。新たなＳＧＷ１０６は、パブリックデータネットワークゲートウェイ（ＰＧＷ）１０８にベアラ更新要求メッセージを送り得る（メッセージ９）。ＰＧＷは、ＵＥから外部のパケットデータネットワークへの接続性を提供し得る。
【００４０】
その後、ポリシー及び課金強化機能（ＰＣＥＦ）は、インターネットプロトコル接続アクセスネットワーク（ＩＰ−ＣＡＮ）セッションの変更を開始し得る（メッセージ９ａ）。ＰＧＷ１０８は、新たなＳＧＷ１０７にベアラ更新応答を送り、当該新たなＳＧＷは、新たなＭＭＥ１０４にベアラ生成応答を送り得る（メッセージ１０〜１１）。新たなＭＭＥ１０４は、ＨＨＳ１０９にロケーション更新メッセージを送り、当該ＨＨＳは、過去のコアノード１０５にロケーションキャンセル要求を送り得る（メッセージ１２〜１３）。過去のコアノード１０５は、ＨＳＳ１０９にロケーションキャンセル確認応答を送り得る（メッセージ１４）。過去のコアノード１０５がＳＧＳＮである場合のシナリオについて、過去のコアノード１０５は、Ｉｕリリースコマンドを無線ネットワークコントローラ（ＲＮＣ）１０３に送り得る（メッセージ１５Ａ）一方、過去のコアノード１０５がＭＭＥであるシナリオにおいて、過去のコアノード１０５は、過去のｅＮｏｄｅＢ１０ｘにＳ１ＡＰ  ＵＥコンテキストリリースコマンドも送り得る（メッセージ１５Ｂ）。過去のＲＮＣ１０３又は過去のｅＮｏｄｅＢは、それぞれＩｕリリース完了メッセージ（メッセージ１６Ａ）又はＳ１ＡＰ  ＵＥコンテキストリリース完了メッセージ（メッセージ１６Ｂ）を過去のコアノード１０５に送り、ＨＳＳ１０９は、新たなＭＭＥ１０４にロケーション更新確認応答を送り得る（メッセージ１７）。過去のコアノード１０５は、過去のＳＧＷ１０７にベアラ削除要求を送り、過去のＳＧＷ１０７は、過去のコアノード１０５にベアラ削除応答を送り得る（メッセージ１８〜１９）。最終的に、新たなＭＭＥ１０４は、新たなＴＡＩリストを転送するＴＡＵ承認メッセージを送り、ＵＥ１０１は、ＴＡＩリストの受信について確認応答を行うＴＡＵ完了メッセージを送り得る（メッセージ２０〜２１）。
【００４１】
上述されたＴＡＵ手続きに関する問題は、ＵＥ１０１がアイドル後モードにある場合に生じ得る。アイドル後モードの一例は、ＵＥがアイドルモードシグナリング低減（ＩＳＲ）手続きを丁度終了した際である。ＩＳＲは、モビリティシグナリングを低減する機能である。ＩＳＲの期間中、ＵＥは、Ｅ−ＵＴＲＡＮのＴＡ又はＴＡのリストに登録されるのと同時にＵＴＲＡＮ／ＧＥＲＡＮのＲＡに登録され得る。それ故に、ＵＥは追加的なネットワークシグナリング無しに、２Ｇ／３ＧからＬＴＥシステムに自由にスイッチングし得る。ＩＳＲ期間中の低減されたネットワークシグナリングは、ＲＡＴタイプにおける如何なる変更もＳＧＷに通知されないであろうことも意味する。
【００４２】
従って、幾つかの例示的な実施形態によれば、ＵＥがアイドル後モードにおいて異なるＲＡＴタイプを利用しているか否かの標識が提供され得る。図３は、ＲＡＴ標識を提供し得る標識ユニット３００を説明するための図であり、図４は、図３の標識ユニットによって遂行され得る例示的な動作ステップを示すフロー図である。標識ユニット３００はＵＥ、ＭＭＥ、ＳＧＳＮ、ＨＳＳ、又は無線ネットワークにおける任意の他のノードに設けられ得ることが認識されるべきである。標識ユニット３００はスタンドアロンのノードとして設定されてもよいことがさらに認識されるべきである。
【００４３】
標識ユニット
標識ユニット３００は、種々の形態のネットワーク通信３０１を受信し及び送信するように設定され得る少なくとも１つの通信ポート３０３を備え得る。ネットワークノード３００は、少なくとも１つのプロセッサ３０７も備え得る。プロセッサ３０７は、当技術分野において既知のソフトウェア又はハードウェア命令セットを動作させるように構成される任意の適当なタイプの計算ユニット、例えば、マイクロプロセッサ、デジタル信号プロセッサ（ＤＳＰ）、フィールドプログラマブルゲートアレイ（ＦＰＧＡ）、又は特定用途向け集積回路（ＡＳＩＣ）であってよい。ネットワークノード３００は、少なくとも１つのストレージユニット３０５を備え得る。当該ストレージユニット３０５は、任意の適当なタイプのコンピュータ読取可能なメモリであってよく、当技術分野において既知の揮発性タイプ及び／又は不揮発性タイプであってよい。ストレージユニット３０５は、受信され、送信され、及び／若しくは測定されるデータ、並びに／又は実行可能なプログラム命令を記憶するように設定され得る。
【００４４】
動作において、標識ユニット３００は、アイドル後モビリティ手続きについての要求３０１を受信し又は送信する（４０１）ように構成され得る。標識ユニットがＵＥ１０１に設けられる例示的な実施形態において、標識ユニットは、アイドル後モビリティ手続きについての要求を送信するように構成され得る。標識ユニットがＭＭＥ又はＳＧＳＮに設けられる例示的な実施形態においては、標識ユニット３００は、アイドル後モビリティ手続きについての要求を受信するように構成され得る。アイドル後モビリティ手続きはＲＡＵ若しくはＴＡＵ又は当技術分野において既知の任意の他のアイドル後モビリティ手続きであってもよいことが認識されるべきである。
【００４５】
要求を受信し又は送信すると、アイドルステータス又は標識の判定が為され得る（４０３）。アイドルステータス又は標識は、例えば、ＵＥ１０１がアイドル手続きを経たか否かを示す信号又はフラグ設定（例えば、ＩＳＲフラグ設定）といった情報エレメントの形式であり得る。例えば、情報エレメントは、フラグ、１ビットの信号、２ビットの信号、又は任意のビット数の信号の形態であってもよい。アイドル手続きは、例えばＩＳＲであり得る。それ故に、情報エレメントが肯定的である場合、ＵＥ１０１はアイドル手続きを経たことになる。
【００４６】
情報エレメントからアイドルステータス又は標識を判定した後、標識ユニット３００は、当該ステータス又は標識に応じてアイドル後モビリティ手続きについての要求を開始するための命令を提供し得る（４０５）。例示的な実施形態は与えられるべき命令を多くの手法で提供し得ることが認識されるべきである。下記の３つのケースは、説明のための例として提供される。本明細書において提示される例示的な実施形態は他の手法で実施をされてもよく、下記に提供されるケースは単なる例として提示されることが認識されるべきである。
【００４７】
ケース１：情報エレメント＝１ビットのインジケータ
幾つかの例示的な実施形態において、情報エレメントは、１ビットのインジケータとして提供され得る。従って、情報エレメントは、ＩＳＲ手続きが開始された場合に肯定的な標識又はステータスを提供し得る。それ故に、標識ユニットは、現在のＲＡＴタイプがＳＧＷに提供されるべきであるという命令を提供するように設定され得る。ケース１によって説明されるシナリオにおいて、ＳＧＷに命令を送る標識ユニットによって提供される追加的なシグナリングは、情報エレメントが肯定的である場合（即ち、ＩＳＲ手続きが発生した場合）のみ行われる必要がある。
【００４８】
幾つかの例示的な実施形態において、現在のＲＡＴタイプを送るか否かの決定は、前回のモビリティマネジメントノードのタイプが現在のモビリティマネジメントノードのタイプと同じであるか否かだけに（即ち、ＩＳＲが発生したか否かの標識無しに）基づき得ることが認識されるべきである。前回のモビリティマネジメントノードが現在のモビリティマネジメントノードと同じタイプであるか否かの標識を用いることは、ケース２に関連してより詳細に説明されるであろう。
【００４９】
この実施形態から提供される利益の一例は、低減されたシグナリングによりＲＡＴの変更がＳＧＷに通知され得ることである。例えば、ＳＧＷは必ずしも現在のＲＡＴタイプにより更新されるわけではなく、更新が発生するのは情報エレメントが肯定的な結果を提供する場合のみである。
【００５０】
ケース２：情報エレメント＝多値フラグ又は多値ビットインジケータ
幾つかの例示的な実施形態において、情報エレメントは、多値フラグ又は多値ビットインジケータとして提供され得る。従って、情報エレメントは、例えば、ＩＳＲ手続きが開始された場合に肯定的な標識又はステータスを提供し得る。情報エレメントは、例えば、アイドル手続きを呼び出す際に利用される前回のモビリティマネジメントノードのＩＤも提供し得る。ＩＳＲモードの開始に先立ってＳＧＷを更新し得るのは前回のモビリティマネジメントノード（例えば、ＳＧＳＮ、又はＭＭＥ）であることが認識されるべきである。それ故に、前回のモビリティマネジメントノードのノードタイプが現在のモビリティマネジメントノードのノードタイプと同じではない場合、現在のＲＡＴタイプは、ＩＳＲに先立ってＳＧＷに記憶されるＲＡＴタイプと同じではないことがあり得る。従って、前回のモビリティマネジメントノードの知識を有することによって、新たなＲＡＴタイプが提供される必要があるか否かのより正確な標識が取得され得る。
【００５１】
例えば、ＵＥが、ＭＭＥ（例えば、ＭＭＥ１）に登録され、ＵＴＲＡＮシステムを利用し始め、及びＩＳＲを開始することを決定するＳＧＳＮにＲＡＵを送る場合、ＳＧＳＮ１は、ＵＥに関連付けられるＵＥレコード又は情報を保持するようにＭＭＥ１にシグナリングし得る。ＳＧＳＮ１は、ＩＳＲがアクティブ化されることをＵＥ及びＳＧＷにもシグナリングし得る。それ故に、前回のノードとして動作し、ＩＳＲに入ることに先立ってＳＧＷのＲＡＴタイプを更新することとなるのは、ＳＧＳＮ１である（ＲＡＴ＝ＵＴＲＡＮ）。
【００５２】
ＩＳＲの期間中、ＵＥ１０１は、Ｅ−ＵＴＲＡＮサブシステムとＵＴＲＡＮサブシステムとの間を相互に自由にインタラクションし得る。それ故に、ＵＥ１０１は、ＳＧＳＮ１との通信とＭＭＥ１との通信との間を相互にスイッチングし得る。ただし、ＳＧＷにはＲＡＴの変更が通知されないことがあり得る。ＩＳＲの終了時に、ＵＥ１０１が新たな（本明細書においては、現在の、と呼ばれる）ＭＭＥ２と通信中である場合、情報エレメントは、前回のノードは同じタイプではない（例えば、前回のノード＝ＳＧＳＮ１；現在のノード＝ＭＭＥ２）という標識を提供し得る。それ故に、現在のＭＭＥ２は、前回のノード（ＳＧＳＮ１）によってＳＧＷに記憶されたＲＡＴタイプがＳＧＳＮ１に関連付けられるＲＡＴであったこと（ＲＡＴ＝ＵＴＲＡＮ）を知得するであろう。従って、ＲＡＴタイプは、現在のＲＡＴタイプに更新される必要があるであろう（現在のＲＡＴ＝Ｅ−ＵＴＲＡＮ）。
【００５３】
ただし、現在のノードがＳＧＳＮ２ノードである場合、情報エレメントは、現在のノード及び前回のノードのノードタイプが異ならないという標識（現在のノード＝ＳＧＳＮ２；前回のノード＝ＳＧＳＮ１）を提供し得る。ノードタイプが同じである場合、正確なＲＡＴタイプは既にＳＧＷに記憶されているため、現在のノード（ＳＧＳＮ２）は、ＳＧＷにＲＡＴタイプを通知しないであろう。その後、正確なＲＡＴタイプは、アイドル後モビリティ手続きの実行時に、ＳＧＷに記憶されるであろう。
【００５４】
この実施形態から提供される利益の一例は、低減されたシグナリングによりＲＡＴの変更がＳＧＷに通知され得ることである。ケース２において提示された例示的な実施形態において、シグナリングは、ＲＡＴの変更についての標識が必要とされる場合にのみ、そのような標識を提供するために用いられるであろう。
【００５５】
ケース３：インジケータ無し
幾つかの例示的な実施形態において、情報エレメントが必要ではないことがあり得る。具体的には、幾つかの例示的な実施形態において、現在のモビリティノードは、情報エレメントを用いることなく、及び更新が必要とされるか否かに関わらず、常に現在のＲＡＴタイプを送るように設定される。
【００５６】
この実施形態から提供される利益の一例は、ポストモビリティ手続きのステータス又は標識を判定するステップを除去することによりシステムの複雑度が低減されることである。
【００５７】
実施例
図５は、本明細書において提示される例示的な実施形態のうちの幾つかを採用するＴＡＵのメッセージシーケンス図である。（円５０１によって強調される）メッセージ２において、ＵＥ１０１は、情報エレメントを特徴とするＴＡＵ要求を送り得る。アイドル情報エレメントを用いて、新たなＭＭＥ１０４は、ＲＡＴタイプが更新される必要があるという標識又はステータスの更新を（円５０５によって強調される）メッセージ８において提供し得る。その後、新たなＳＧＷは、（円５０７によって強調される）メッセージ９において示されるようにベアラ更新要求において任意の必要な調整をし得る。標識ユニットはＭＭＥに設けられてもよく、従ってこのシナリオにおいて、アイドルステータス又は標識はメッセージ５０３において提供されるであろうことが認識されるべきである。
【００５８】
ここに提示される例示的な実施形態は、図５において説明されるのと同様の手法でＲＡＵ手続きに適用され得ることが認識されるべきである。
【００５９】
「備える／含む（comprising）」という用語は記載された要素又はステップ以外の他の要素又はステップの存在を排除せず、要素に先行する「ある（a又はan）」という用語は複数のそのような要素の存在を排除しないことに留意すべきである。如何なる符号も特許請求の範囲を限定しないこと、及び幾つかの「手段（means）」又は「ユニット（units）」は同じハードウェアのアイテムによって表され得ることにさらに留意すべきである。
【００６０】
本明細書において説明される種々の実施形態は、方法ステップ又は処理の一般的なコンテキストにおいて説明され、当該方法ステップ又は処理は、一実施形態において、ネットワーク環境においてコンピュータによって実行されるプログラムコードなどのコンピュータ実行可能な命令を含むコンピュータ読取可能な媒体において具現化されるコンピュータプログラムプロダクトによって実装され得る。コンピュータ読取可能な媒体は、ＲＯＭ（Read  Only  Memory）、ＲＡＭ（Random  Access  Memory）、コンパクトディスク（ＣＤ）、ＤＶＤ（digital  versatile  discs）等を含むが、これらに限定されないリムーバブルストレージデバイス及び非リムーバブルストレージデバイスを含み得る。一般に、プログラムモジュールは、特定のタスクを実行し又は特定の抽象データ型を実装するルーチン、プログラム、オブジェクト、コンポーネント、データ構造等を含み得る。コンピュータ実行可能な命令、関連付けられるデータ構造、及びプログラムモジュールは、本明細書において開示される方法のステップを実行するためのプログラムコードの例を表す。そのような実行可能な命令の特定のシーケンス又は関連付けられるデータ構造は、そのようなステップ又は処理において説明される機能を実装するための動作に対応する例を表す。
【００６１】
上記に言及され及び説明される実施形態は、例として与えられるに過ぎず、本明細書において提示される実施形態を限定すべきではない。他の解決策、用途、目的、及び機能は、後述される特許請求の範囲に記載されるような本発明の範囲内にあることが認識されるべきである。
【図１】
0005746358.tif 000002
【図２】
0005746358.tif 000003
【図３】
0005746358.tif 000004
【図４】
0005746358.tif 000005
【図５】
0005746358.tif 000006